(57)【要約】  【課題】  ユーザが簡単に、自分の視力、聴力、色弱、および動体視力の検査を行うことができる機能を有する光ディスク再生装置を提供する。  【解決手段】  視力検査が選択された場合は、光ディスクなどからランダムに読み出された視力検査記号が表示され、記号の方向を指示したリモコンの方向キーの正誤が判定され、視力検査結果が表示される。聴力検査が選択された場合は、聴力音声データがランダムに読み出されて右／左で低音／高音がヘッドホンより発生し、音が発生した側に対応して指示したリモコンの方向キーの正誤が判定され、聴力検査結果が表示される。検査項目のうち色弱検査が選択された場合は、ランダムに読み出された色弱検査画が表示され、リモコンのテンキーで入力された数字の正誤が判定され、色弱検査結果が表示される。動体視力検査を選択した場合は、数字が瞬間的に表示され、動体視力検査が可能になる。【選択図】      図４
2006174967.tif 000002
【特許請求の範囲】
【請求項１】
光ディスクに記録された情報を再生する光ディスク再生装置において、システムコント
ローラは、視力検査と聴力検査と色弱検査と動体視力検査とを行うための検査用データが
記録された光ディスクから検査用データを読み出したとき、あるいは視力検査と聴力検査
と色弱検査と動体視力検査とを行うための検査用データが記録された装置のメモリから検
査用データを読み出したとき、あるいは視力検査と聴力検査と色弱検査と動体視力検査と
を行うための検査用データが記録されたハードディスクから検査用データを読み出したと
き、検査項目をディスプレイ装置に表示させる検査項目表示手段と、
前記検査項目のうち視力検査が選択された場合の手段としては、前記ディスプレイ装置
の画面サイズのインチ数を入力したとき前記ディスプレイ装置から幾ら離れて立つかを指
示する距離指示手段と、前記検査用データに含まれる複数個の視力検査記号から１個の視
力検査記号をランダムに選択して前記ディスプレイ装置に表示させる第１の記号表示手段
と、前記選択され表示された視力検査記号の方向がリモコンの方向キーにより入力された
とき該入力方向は正解か間違いかを判定する正誤判定手段と、前記正解と判定されたとき
視力の数値を記憶手段に記憶させる視力数値記憶制御手段と、前記正解と判定されたとき
現視力検査記号よりも小さな視力検査記号を前記ディスプレイ装置に表示させる第２の記
号表示手段と、前記間違いと判定されたとき現視力検査記号よりも大きな視力検査記号を
前記ディスプレイ装置に表示させる第３の記号表示手段と、検査回数が所定回数に達した
とき前記視力の数値に基づいて視力検査結果を算出する視力検査結果算出手段と、前記視
力検査結果を前記ディスプレイ装置に表示させる視力検査結果表示手段とを有し、
前記検査項目のうち聴力検査が選択された場合の手段としては、前記検査用データに含
まれる複数個の聴力音声データから１個の聴力音声データをランダムに選択して右／左で
低音／高音をヘッドホンにより発生させる音発生手段と、音が発生した側に対応して指示
したリモコンの方向キーが正解であるか間違っているかを判定する正誤判定手段と、前記
正解であるとき正解の回数をカウントすると共に前記間違っているとき間違いの回数をカ
ウントするカウント手段と、検査回数が所定回数になったとき前記カウント値に基づいて
聴力検査結果を算出する聴力検査結果算出手段と、前記聴力検査結果を前記ディスプレイ
装置に表示させる聴力検査結果表示手段とを有し、
前記検査項目のうち色弱検査が選択された場合の手段としては、前記検査用データに含
まれる複数個の色弱検査データから１個の色弱検査データをランダムに選択して色弱検査
画を前記ディスプレイ装置に表示させる色弱検査画表示手段と、リモコンのテンキーで入
力された数字は正解であるか間違っているかを判定する正誤判定手段と、前記正解である
とき正解の回数をカウントすると共に前記間違っているとき間違いの回数をカウントする
カウント手段と、検査回数が所定回数になったとき前記カウント値に基づいて色弱検査結
果を算出する色弱検査結果算出手段と、前記色弱検査結果を前記ディスプレイ装置に表示
させる色弱検査結果表示手段とを有し、
前記検査項目のうち動体視力検査が選択された場合の手段としては、前記検査用データ
に含まれる複数個の動体視力検査データから１個の動体視力検査データをランダムに選択
して瞬間的に数字をディスプレイ装置に表示させ、または数字を瞬間的に移動させて前記
ディスプレイ装置に表示させる数字表示手段と、リモコンのテンキーで入力された数字は
正解であるか間違っているかを判定する正誤判定手段と、前記正解であるとき正解の回数
をカウントすると共に前記間違っているとき間違いの回数をカウントするカウント手段と
、検査回数が所定回数になったとき前記カウント値に基づいて動体視力検査結果を算出す
る動体視力検査結果算出手段と、前記動体視力検査結果を前記ディスプレイ装置に表示さ
せる動体視力検査結果表示手段と有し、更に、瞬間的に数字を表示させる時間または瞬間
的に表示させる数字の桁数を可変にする第１の可変手段または／および数字を瞬間的に移
動させる速度を可変にする第２の可変手段を有することを特徴とする光ディスク再生装置
。
【請求項２】
光ディスクに記録された情報を再生する光ディスク再生装置において、システムコント
ローラは、視力検査と聴力検査と色弱検査と動体視力検査とを行うための検査用データを
所定の記録媒体から読み出したとき、検査項目をディスプレイ装置に表示させる検査項目
表示手段と、
前記検査項目のうち視力検査が選択された場合の手段としては、前記ディスプレイ装置
から幾ら離れて立つかの距離を指示し、前記検査用データに含まれる複数個の視力検査記
号から１個の視力検査記号をランダムに選択して前記ディスプレイ装置に表示させ、リモ
コンの方向キーにより指示された視力検査記号の方向の正誤を判定し、この判定結果によ
り視力検査結果を前記ディスプレイ装置に表示させる視力検査手段を有し、
前記検査項目のうち聴力検査が選択された場合の手段としては、前記検査用データに含
まれる複数個の聴力音声データから１個の聴力音声データをランダムに選択して右／左で
低音／高音をヘッドホンにより発生させ、音が発生した側に対応して指示したリモコンの
方向キーの正誤を判定し、この判定結果により聴力検査結果を前記ディスプレイ装置に表
示させる聴力検査手段を有し、
前記検査項目のうち色弱検査が選択された場合の手段としては、前記検査用データに含
まれる複数個の色弱検査データから１個の色弱検査データをランダムに選択して色弱検査
画を前記ディスプレイ装置に表示させ、リモコンのテンキーで入力された数字の正誤を判
定し、この判定結果により色弱検査結果を前記ディスプレイ装置に表示させる色弱検査手
段を有し、
前記検査項目のうち動体視力検査が選択された場合の手段としては、前記検査用データ
に含まれる複数個の動体視力検査データから１個の動体視力検査データをランダムに選択
して瞬間的に数字を前記ディスプレイ装置に表示させ、リモコンのテンキーで入力された
数字の正誤を判定し、この判定結果により動体視力検査結果を前記ディスプレイ装置に表
示させる動体視力検査手段を有することを特徴とする光ディスク再生装置。
【請求項３】
前記所定の記録媒体とは、視力検査と聴力検査と色弱検査と動体視力検査とを行うため
の検査用データが記録された光ディスク、あるいは視力検査と聴力検査と色弱検査と動体
視力検査とを行うための検査用データが記録された装置のメモリ、あるいは視力検査と聴
力検査と色弱検査と動体視力検査とを行うための検査用データが記録されたハードディス
クであることを特徴とする請求項２に記載の光ディスク再生装置。
【請求項４】
前記視力検査手段は、前記ディスプレイ装置の画面サイズのインチ数を入力したとき前
記ディスプレイ装置から幾ら離れて立つかを指示する距離指示手段と、前記検査用データ
に含まれる複数個の視力検査記号から１個の視力検査記号をランダムに選択して前記ディ
スプレイ装置に表示させる第１の記号表示手段と、前記選択され表示された視力検査記号
の方向がリモコンの方向キーにより入力されたとき該入力方向は正解か間違いかを判定す
る正誤判定手段と、前記正解と判定されたとき視力の数値を記憶手段に記憶させる視力数
値記憶制御手段と、前記正解と判定されたとき現視力検査記号よりも小さな視力検査記号
を前記ディスプレイ装置に表示させる第２の記号表示手段と、前記間違いと判定されたと
き現視力検査記号よりも大きな視力検査記号を前記ディスプレイ装置に表示させる第３の
記号表示手段と、検査回数が所定回数に達したとき前記視力の数値に基づいて視力検査結
果を算出する視力検査結果算出手段と、前記視力検査結果を前記ディスプレイ装置に表示
させる視力検査結果表示手段とを有することを特徴とする請求項２に記載の光ディスク再
生装置。
【請求項５】
前記聴力検査手段は、前記検査用データに含まれる複数個の聴力音声データから１個の
聴力音声データをランダムに選択して右／左で低音／高音をヘッドホンにより発生させる
音発生手段と、音が発生した側に対応して指示したリモコンの方向キーが正解であるか間
違っているかを判定する正誤判定手段と、前記正解であるとき正解の回数をカウントする
と共に前記間違っているとき間違いの回数をカウントするカウント手段と、検査回数が所
定回数になったとき前記カウント値に基づいて聴力検査結果を算出する聴力検査結果算出
手段と、前記聴力検査結果を前記ディスプレイ装置に表示させる聴力検査結果表示手段と
を有することを特徴とする請求項２に記載の光ディスク再生装置。
【請求項６】
前記色弱検査手段は、前記検査用データに含まれる複数個の色弱検査データから１個の
色弱検査データをランダムに選択して色弱検査画を前記ディスプレイ装置に表示させ、リ
モコンのテンキーで入力された数字の正誤を判定し、この判定結果により色弱検査結果を
前記ディスプレイ装置に表示させる色弱検査手段を有することを特徴とする請求項２に記
載の光ディスク再生装置。
【請求項７】
前記動体視力検査手段は、前記検査用データに含まれる複数個の動体視力検査データか
ら１個の動体視力検査データをランダムに選択して瞬間的に数字を前記ディスプレイ装置
に表示させる数字表示手段と、リモコンのテンキーで入力された数字は正解であるか間違
っているかを判定する正誤判定手段と、前記正解であるとき正解の回数をカウントすると
共に前記間違っているとき間違いの回数をカウントするカウント手段と、検査回数が所定
回数になったとき前記カウント値に基づいて動体視力検査結果を算出する動体視力検査結
果算出手段と、前記動体視力検査結果を前記ディスプレイ装置に表示させる動体視力検査
結果表示手段とを有することを特徴とする請求項２に記載の光ディスク再生装置。
【請求項８】
前記動体視力検査手段は、瞬間的に数字を表示させる時間または瞬間的に表示させる数
字の桁数を可変にする第１の可変手段または／および数字を瞬間的に移動させる速度を可
変にする第２の可変手段を有することを特徴とする請求項７に記載の光ディスク再生装置
。
【発明の詳細な説明】
【技術分野】
【０００１】
本発明は、光ディスクに記録された情報を再生する光ディスク再生装置に関し、特に、
視力検査と聴力検査と色弱検査と動体視力検査の機能を有する光ディスク再生装置に関す
る。
【背景技術】
【０００２】
一般に、視力検査、聴力検査、色弱検査、動体視力検査などは病院などで行われている。
それらの検査の中でも、視力検査は一般家庭に設置されているテレビ受像機を用いて行う
ことができるようにしたアイトレーニング機能付テレビ受像機が従来技術として知られて
いる（例えば特許文献１）。この従来技術においては、テレビ受像機にアイトレーニング
画面および視力検査用画面ソフトウェアを組み込み、テレビ受像機およびリモートコント
ローラ側より画面選択を行い、アイトーレーニングおよび視力検査を行って、自己の目の
状況を知り、その管理を行うことができるようにしている。
【特許文献１】実開平３−７３０８０号公報
【発明の開示】
【発明が解決しようとする課題】
【０００３】
しかしながら、特許文献１に記載の従来技術は、視力検査、聴力検査、色弱検査、およ
び動体視力検査のうち、視力検査だけしか行うことができないので、多用性に劣るという
課題がある。なお、この従来技術においては、テレビ画面を長時間見続けることにより目
の疲労が増し、これをほぐすために画面上に映し出された点を目で追い、目のトレーニン
グができるようにしているが、これはあくまでも目のトレーニングであり、動体視力検査
ではない。
【０００４】
本発明は、上記のような課題を解決するためになされたもので、ユーザが簡単に、自分
の視力、聴力、色弱、および動体視力の検査を行うことができる機能を有する光ディスク
再生装置を提供することを目的とする。
【課題を解決するための手段】
【０００５】
上記目的を達成するために、請求項１の発明は、視力検査と聴力検査と色弱検査と動体
視力検査とを行うための検査用データが記録された光ディスクから検査用データを読み出
したとき、あるいは視力検査と聴力検査と色弱検査と動体視力検査とを行うための検査用
データが記録された装置のメモリから検査用データを読み出したとき、あるいは視力検査
と聴力検査と色弱検査と動体視力検査とを行うための検査用データが記録されたハードデ
ィスクから検査用データを読み出したとき、検査項目をディスプレイ装置に表示させる検
査項目表示手段と、前記検査項目のうち視力検査が選択された場合の手段としては、前記
ディスプレイ装置の画面サイズのインチ数を入力したとき前記ディスプレイ装置から幾ら
離れて立つかを指示する距離指示手段と、前記検査用データに含まれる複数個の視力検査
記号から１個の視力検査記号をランダムに選択して前記ディスプレイ装置に表示させる第
１の記号表示手段と、前記選択され表示された視力検査記号の方向がリモコンの方向キー
により入力されたとき該入力方向は正解か間違いかを判定する正誤判定手段と、前記正解
と判定されたとき視力の数値を記憶手段に記憶させる視力数値記憶制御手段と、前記正解
と判定されたとき現視力検査記号よりも小さな視力検査記号を前記ディスプレイ装置に表
示させる第２の記号表示手段と、前記間違いと判定されたとき現視力検査記号よりも大き
な視力検査記号を前記ディスプレイ装置に表示させる第３の記号表示手段と、検査回数が
所定回数に達したとき前記視力の数値に基づいて視力検査結果を算出する視力検査結果算
出手段と、前記視力検査結果を前記ディスプレイ装置に表示させる視力検査結果表示手段
とを有し、前記検査項目のうち聴力検査が選択された場合の手段としては、前記検査用デ
ータに含まれる複数個の聴力音声データから１個の聴力音声データをランダムに選択して
右／左で低音／高音をヘッドホンにより発生させる音発生手段と、音が発生した側に対応
して指示したリモコンの方向キーが正解であるか間違っているかを判定する正誤判定手段
と、前記正解であるとき正解の回数をカウントすると共に前記間違っているとき間違いの
回数をカウントするカウント手段と、検査回数が所定回数になったとき前記カウント値に
基づいて聴力検査結果を算出する聴力検査結果算出手段と、前記聴力検査結果を前記ディ
スプレイ装置に表示させる聴力検査結果表示手段とを有し、前記検査項目のうち色弱検査
が選択された場合の手段としては、前記検査用データに含まれる複数個の色弱検査データ
から１個の色弱検査データをランダムに選択して色弱検査画を前記ディスプレイ装置に表
示させる色弱検査画表示手段と、リモコンのテンキーで入力された数字は正解であるか間
違っているかを判定する正誤判定手段と、前記正解であるとき正解の回数をカウントする
と共に前記間違っているとき間違いの回数をカウントするカウント手段と、検査回数が所
定回数になったとき前記カウント値に基づいて色弱検査結果を算出する色弱検査結果算出
手段と、前記色弱検査結果を前記ディスプレイ装置に表示させる色弱検査結果表示手段と
を有し、前記検査項目のうち動体視力検査が選択された場合の手段としては、前記検査用
データに含まれる複数個の動体視力検査データから１個の動体視力検査データをランダム
に選択して瞬間的に数字をディスプレイ装置に表示させ、または数字を瞬間的に移動させ
て前記ディスプレイ装置に表示させる数字表示手段と、リモコンのテンキーで入力された
数字は正解であるか間違っているかを判定する正誤判定手段と、前記正解であるとき正解
の回数をカウントすると共に前記間違っているとき間違いの回数をカウントするカウント
手段と、検査回数が所定回数になったとき前記カウント値に基づいて動体視力検査結果を
算出する動体視力検査結果算出手段と、前記動体視力検査結果を前記ディスプレイ装置に
表示させる動体視力検査結果表示手段と有し、更に、瞬間的に数字を表示させる時間また
は瞬間的に表示させる数字の桁数を可変にする第１の可変手段または／および数字を瞬間
的に移動させる速度を可変にする第２の可変手段を有するシステムコントローラを備えた
ことを特徴とする光ディスク再生装置を提供する。
【０００６】
この構成において、視力検査と聴力検査と色弱検査と動体視力検査とを行うための検査
用データが記録された例えば検査用光ディスクを装填すると、検査項目表示手段により検
査項目がディスプレイ装置に表示される。検査項目の中から視力検査が選択された場合、
画面のインチ数が入力されると、距離指示手段により、ユーザがディスプレイ装置から幾
ら離れて立つかを画面に表示して指示される。
【０００７】
次に、第１の記号表示手段により、検査用データに含まれる複数個の視力検査記号から
１個の視力検査記号が、ランダムに選択されディスプレイ装置に表示される。そして、ユ
ーザは、ディスプレイ装置から離れて指示された位置に立ってディスプレイ装置に表示さ
れた視力検査記号を例えば右目で見て、視力検査記号の方向をリモコンの方向キーで指定
して視力検査記号の方向を入力する。これにより、方向キーで入力された方向は正解であ
るか間違いであるかが正誤判定手段により判定される。
【０００８】
入力方向は正解であると判定されたとき、視力数値記憶制御手段により正解の視力の数
値がメモリに記憶される。そして、前記正解と判定されたとき、第２の記号表示手段によ
り、現視力検査記号よりも小さな視力検査記号が検査用データに含まれる複数個の視力検
査記号からランダムに選択されてディスプレイ装置に表示される。そして、ユーザは、小
さな視力検査記号を右目で見て、視力検査記号の方向をリモコンの方向キーで指定して視
力検査記号の方向を入力する。これにより、方向キーで入力された方向は正解であるか間
違いであるかが正誤判定手段により判定される。
【０００９】
今度は入力方向が間違いであると判定されると、第３の記号表示手段により、現視力検
査記号よりも大きな視力検査記号が、検査用データに含まれる複数個の視力検査記号から
ランダムに選択されてディスプレイ装置に表示される。次に、ユーザは、大きな視力検査
記号を右目で見て、視力検査記号の方向をリモコンの方向キーで指定して視力検査記号の
方向を入力する。これにより、方向キーで入力された方向は正解であるか間違いであるか
が正誤判定手段により判定される。
【００１０】
入力方向は正解であると判定されたとき、正解の視力の数値が視力数値記憶制御手段に
よりメモリに記憶される。そして、検査回数が所定回数になれば、メモリに記憶された視
力の数値に基づいて視力検査結果が、視力検査結果算出手段により算出され、視力検査結
果表示手段によりディスプレイ装置に表示される。
【００１１】
ユーザがヘッドホンを耳に装着し、ディスプレイ装置に表示された検査項目の中の聴力
検査を選択した場合は、検査用データに含まれる複数個の聴力音声データから１個の聴力
音声データが音発生手段によりランダムに選択されて、右／左で低音／高音がヘッドホン
より発生する。例えば、ヘッドホンの右側ホンから低音が発生したとすると、ユーザは、
リモコンの右方向を示す方向キーを押すと、リモコンの方向キーが正解であると正誤判定
手段により判定され、正解の回数がカウント手段によりカウントされる。
【００１２】
そして、検査回数が所定回数でないときは、次もランダムに音をヘッドホンから発生さ
せる。例えば、ヘッドホンの左側ホンから高音が発生したとき、ユーザは、リモコンの右
方向を示す方向キーを押すと、リモコンの方向キーが間違いであると正誤判定手段により
判定され、間違いの回数がカウント手段によりカウントされる。
【００１３】
検査回数が所定回数になったときは、前記カウント値に基づいて聴力検査結果が聴力検
査結果算出手段により算出され、前記聴力検査結果は聴力検査結果表示手段によりディス
プレイ装置に表示される。
【００１４】
ユーザがディスプレイ装置に表示された検査項目の中の色弱検査を選択した場合は、検
査用データに含まれる複数個の色弱検査データから１個の色弱検査データが色弱検査画表
示手段によりランダムに選択されて、色弱検査画がディスプレイ装置に表示される。ユー
ザはリモコンのテンキーで数字を入力し、リモコンの入力キーが正誤判定手段により正解
であると判定されたときは、正解の回数がカウント手段によりカウントされる。
【００１５】
次の色弱検査画がディスプレイ装置に表示されると、ユーザはリモコンのテンキーで数
字を入力し、リモコンの入力キーが間違いであると正誤判定手段により判定されたとき、
間違いの回数がカウント手段によりカウントされる。検査回数が所定回数になったときは
、前記カウント値に基づいて色弱検査結果が色弱検査結果算出手段により算出され、色弱
検査結果が色弱検査結果表示手段によりディスプレイ装置に表示される。
【００１６】
ユーザがディスプレイ装置に表示された検査項目の中の動体視力検査を選択した場合は
、検査用データに含まれる複数個の動体視力検査データから１個の動体視力検査データが
数字表示手段によりランダムに選択されて、数字が瞬間的にディスプレイ装置に表示され
る。
【００１７】
リモコンのテンキーによる入力数字が正解であると正誤判定手段により判定されたとき
は、正解の回数がカウント手段によりカウントされる。リモコンのテンキーによる入力数
字が間違いであると正誤判定手段により判定されたときは、間違いの回数がカウント手段
によりカウントされる。
【００１８】
検査回数が所定回数になったときは、前記カウント値に基づいて動体視力検査結果が、
動体視力検査結果算出手段により算出され、動体視力検査結果表示手段によりディスプレ
イ装置に表示される。
【００１９】
なお、数字を瞬間的に表示する時間は、動体視力検査手段に含まれる第１の可変手段に
より変えることができる。また、瞬間的に表示させる数字の桁数も、同じく第１の可変手
段により変えることができる。また、数字を瞬間的に移動させる速度は、動体視力検査手
段に含まれる第２の可変手段により変えることができる。
【００２０】
この構成によれば、視力検査、聴力検査、色弱検査、および動体視力検査の機能を精度
良く実現でき、これにより、ユーザが簡単に、自分の視力、聴力、色弱、および動体視力
の検査を行うことができる。
【００２１】
請求項２の発明は、視力検査と聴力検査と色弱検査と動体視力検査とを行うための検査
用データを所定の記録媒体から読み出したとき、検査項目をディスプレイ装置に表示させ
る検査項目表示手段と、前記検査項目のうち視力検査が選択された場合の手段としては、
前記ディスプレイ装置から幾ら離れて立つかの距離を指示し、前記検査用データに含まれ
る複数個の視力検査記号から１個の視力検査記号をランダムに選択して前記ディスプレイ
装置に表示させ、リモコンの方向キーにより指示された視力検査記号の方向の正誤を判定
し、この判定結果により視力検査結果を前記ディスプレイ装置に表示させる視力検査手段
を有し、前記検査項目のうち聴力検査が選択された場合の手段としては、前記検査用デー
タに含まれる複数個の聴力音声データから１個の聴力音声データをランダムに選択して右
／左で低音／高音をヘッドホンにより発生させ、音が発生した側に対応して指示したリモ
コンの方向キーの正誤を判定し、この判定結果により聴力検査結果を前記ディスプレイ装
置に表示させる聴力検査手段を有し、前記検査項目のうち色弱検査が選択された場合の手
段としては、前記検査用データに含まれる複数個の色弱検査データから１個の色弱検査デ
ータをランダムに選択して色弱検査画を前記ディスプレイ装置に表示させ、リモコンのテ
ンキーで入力された数字の正誤を判定し、この判定結果により色弱検査結果を前記ディス
プレイ装置に表示させる色弱検査手段を有し、前記検査項目のうち動体視力検査が選択さ
れた場合の手段としては、前記検査用データに含まれる複数個の動体視力検査データから
１個の動体視力検査データをランダムに選択して瞬間的に数字を前記ディスプレイ装置に
表示させ、リモコンのテンキーで入力された数字の正誤を判定し、この判定結果により動
体視力検査結果を前記ディスプレイ装置に表示させる動体視力検査手段を有するシステム
コントローラを備えたことを特徴とする光ディスク再生装置を提供する。
【００２２】
この構成において、視力検査と聴力検査と色弱検査と動体視力検査とを行うための検査
用データが所定の記録媒体から読み出されたとき、検査項目が検査項目表示手段によりデ
ィスプレイ装置に表示される。前記検査項目のうち視力検査が選択された場合は、ディス
プレイ装置から幾ら離れて立つかの距離が指示され、検査用データに含まれる複数個の視
力検査記号から１個の視力検査記号がランダムに選択されてディスプレイ装置に表示され
る。そして、リモコンの方向キーにより指示された視力検査記号の方向の正誤が判定され
、この判定結果により視力検査結果がディスプレイ装置に表示される。
【００２３】
検査項目のうち聴力検査が選択された場合は、検査用データに含まれる複数個の聴力音
声データから１個の聴力音声データがランダムに選択されて右／左で低音／高音がヘッド
ホンより発生し、音が発生した側に対応して指示したリモコンの方向キーの正誤が判定さ
れ、この判定結果により聴力検査結果がディスプレイ装置に表示される。
【００２４】
検査項目のうち色弱検査が選択された場合は、検査用データに含まれる複数個の色弱検
査データから１個の色弱検査データがランダムに選択されて色弱検査画がディスプレイ装
置に表示され、リモコンのテンキーで入力された数字の正誤が判定され、この判定結果に
より色弱検査結果がディスプレイ装置に表示される。
【００２５】
検査項目のうち動体視力検査が選択された場合は、検査用データに含まれる複数個の動
体視力検査データから１個の動体視力検査データがランダムに選択されて瞬間的に数字が
ディスプレイ装置に表示され、リモコンのテンキーで入力された数字の正誤が判定され、
この判定結果により動体視力検査結果がディスプレイ装置に表示される。
【００２６】
この構成によれば、視力検査、聴力検査、色弱検査、および動体視力検査の機能を実現
でき、これにより、ユーザが簡単に、自分の視力、聴力、色弱、および動体視力の検査を
行うことができる。
【００２７】
請求項３の発明では、請求項２の発明において、前記所定の記録媒体とは、視力検査と
聴力検査と色弱検査と動体視力検査とを行うための検査用データが記録された光ディスク
、あるいは視力検査と聴力検査と色弱検査と動体視力検査とを行うための検査用データが
記録された装置のメモリ、あるいは視力検査と聴力検査と色弱検査と動体視力検査とを行
うための検査用データが記録されたハードディスクであるので、光ディスク、メモリ、ハ
ードディスクの何れの検査用データを用いても、視力検査と聴力検査と色弱検査と動体視
力検査とを実現することができる。
【００２８】
請求項４の発明では、請求項２の発明において、前記視力検査手段は、前記ディスプレ
イ装置の画面サイズのインチ数を入力したとき前記ディスプレイ装置から幾ら離れて立つ
かを指示する距離指示手段と、前記検査用データに含まれる複数個の視力検査記号から１
個の視力検査記号をランダムに選択して前記ディスプレイ装置に表示させる第１の記号表
示手段と、前記選択され表示された視力検査記号の方向がリモコンの方向キーにより入力
されたとき該入力方向は正解か間違いかを判定する正誤判定手段と、前記正解と判定され
たとき視力の数値を記憶手段に記憶させる視力数値記憶制御手段と、前記正解と判定され
たとき現視力検査記号よりも小さな視力検査記号を前記ディスプレイ装置に表示させる第
２の記号表示手段と、前記間違いと判定されたとき現視力検査記号よりも大きな視力検査
記号を前記ディスプレイ装置に表示させる第３の記号表示手段と、検査回数が所定回数に
達したとき前記視力の数値に基づいて視力検査結果を算出する視力検査結果算出手段と、
前記視力検査結果を前記ディスプレイ装置に表示させる視力検査結果表示手段とを有する
。
【００２９】
したがって、検査項目表示手段により検査項目がディスプレイ装置に表示でき、検査項
目の中から視力検査が選択された場合、画面のインチ数が入力されると、距離指示手段に
より、ユーザがディスプレイ装置から幾ら離れて立つかを画面に表示して指示できる。第
１の記号表示手段により、検査用データに含まれる複数個の視力検査記号から１個の視力
検査記号が、ランダムに選択されディスプレイ装置に表示できる。ディスプレイ装置に表
示された視力検査記号の方向をリモコンの方向キーで指定して視力検査記号の方向を入力
することができる。
【００３０】
これにより、方向キーで入力された方向は正解であるか間違いであるかが正誤判定手段
により判定できる。入力方向は正解であると判定されたとき、視力数値記憶制御手段によ
り正解の視力の数値がメモリに記憶できる。そして、前記正解と判定されたとき、第２の
記号表示手段により、現視力検査記号よりも小さな視力検査記号が検査用データに含まれ
る複数個の視力検査記号からランダムに選択されてディスプレイ装置に表示できる。
【００３１】
今度は入力方向が間違いであると判定されると、第３の記号表示手段により、現視力検
査記号よりも大きな視力検査記号が、検査用データに含まれる複数個の視力検査記号から
ランダムに選択されてディスプレイ装置に表示できる。方向キーで入力された方向は正解
であるか間違いであるかが正誤判定手段により判定できる。
【００３２】
入力方向は正解であると判定されたとき、正解の視力の数値が視力数値記憶制御手段に
よりメモリに記憶できる。そして、検査回数が所定回数になれば、メモリに記憶された視
力の数値に基づいて視力検査結果が視力検査結果算出手段により算出でき、視力検査結果
表示手段によりディスプレイ装置に例えば「右目の視力は０．８です」と言うメッセージ
が表示できる。
【００３３】
請求項５の発明では、請求項２の発明において、前記聴力検査手段は、前記検査用デー
タに含まれる複数個の聴力音声データから１個の聴力音声データをランダムに選択して右
／左で低音／高音をヘッドホンにより発生させる音発生手段と、音が発生した側に対応し
て指示したリモコンの方向キーが正解であるか間違っているかを判定する正誤判定手段と
、前記正解であるとき正解の回数をカウントすると共に前記間違っているとき間違いの回
数をカウントするカウント手段と、検査回数が所定回数になったとき前記カウント値に基
づいて聴力検査結果を算出する聴力検査結果算出手段と、前記聴力検査結果を前記ディス
プレイ装置に表示させる聴力検査結果表示手段とを有する。
【００３４】
したがって、ユーザがヘッドホンを耳に装着し、ディスプレイ装置に表示された検査項
目の中の聴力検査を選択した場合は、検査用データに含まれる複数個の聴力音声データか
ら１個の聴力音声データが音発生手段によりランダムに選択できて、右／左で低音／高音
をヘッドホンより発生させることができる。例えば、ヘッドホンの右側ホンから低音が発
生したとすると、ユーザは、リモコンの右方向を示す方向キーを押すと、リモコンの方向
キーが正解であると正誤判定手段により判定でき、正解の回数をカウント手段によりカウ
ントできる。
【００３５】
そして、検査回数が所定回数でないときは、次もランダムに音をヘッドホンから発生さ
せる。例えば、ヘッドホンの左側ホンから高音が発生したとき、ユーザは、リモコンの右
方向を示す方向キーを押すと、リモコンの方向キーが間違いであると正誤判定手段により
判定でき、間違いの回数をカウント手段によりカウントできる。
【００３６】
検査回数が所定回数になったときは、前記カウント値に基づいて聴力検査結果が聴力検
査結果算出手段により算出でき、前記聴力検査結果は聴力検査結果表示手段によりディス
プレイ装置に表示できる。
【００３７】
請求項６の発明では、請求項２の発明において、前記色弱検査手段は、前記検査用デー
タに含まれる複数個の色弱検査データから１個の色弱検査データをランダムに選択して色
弱検査画を前記ディスプレイ装置に表示させ、リモコンのテンキーで入力された数字の正
誤を判定し、この判定結果により色弱検査結果を前記ディスプレイ装置に表示させる色弱
検査手段を有する。
【００３８】
したがって、ユーザがディスプレイ装置に表示された検査項目の中の色弱検査を選択し
た場合は、検査用データに含まれる複数個の色弱検査データから１個の色弱検査データが
色弱検査画表示手段によりランダムに選択できて、色弱検査画がディスプレイ装置に表示
できる。ユーザはリモコンのテンキーで数字を入力すると、リモコンの入力キーが正誤判
定手段により正解であると判定でき、正解の回数がカウント手段によりカウントできる。
【００３９】
色弱検査画がディスプレイ装置に表示されると、ユーザはリモコンのテンキーで数字を
入力すると、リモコンの入力キーが間違いであると正誤判定手段により判定でき、間違い
の回数がカウント手段によりカウントできる。検査回数が所定回数になったときは、前記
カウント値に基づいて色弱検査結果が色弱検査結果算出手段により算出でき、色弱検査結
果が色弱検査結果表示手段によりディスプレイ装置に表示できる。
【００４０】
請求項７の発明では、請求項２の発明において、前記動体視力検査手段は、前記検査用
データに含まれる複数個の動体視力検査データから１個の動体視力検査データをランダム
に選択して瞬間的に数字を前記ディスプレイ装置に表示させる数字表示手段と、リモコン
のテンキーで入力された数字は正解であるか間違っているかを判定する正誤判定手段と、
前記正解であるとき正解の回数をカウントすると共に前記間違っているとき間違いの回数
をカウントするカウント手段と、検査回数が所定回数になったとき前記カウント値に基づ
いて動体視力検査結果を算出する動体視力検査結果算出手段と、前記動体視力検査結果を
前記ディスプレイ装置に表示させる動体視力検査結果表示手段とを有する。
【００４１】
したがって、ユーザがディスプレイ装置に表示された検査項目の中の動体視力検査を選
択した場合は、検査用データに含まれる複数個の動体視力検査データから１個の動体視力
検査データが数字表示手段によりランダムに選択できて、数字が瞬間的にディスプレイ装
置に表示できる。
【００４２】
リモコンの入力キーが正解であると正誤判定手段により判定でき、正解の回数はカウン
ト手段によりカウントできる。リモコンの入力キーが間違いであると正誤判定手段により
判定でき、間違いの回数はカウント手段によりカウントできる。
【００４３】
検査回数が所定回数になったときは、前記カウント値に基づいて動体視力検査結果が、
動体視力検査結果算出手段により算出でき、動体視力検査結果表示手段によりディスプレ
イ装置に表示できる。
【００４４】
請求項８の発明では、請求項２の発明において、前記動体視力検査手段は、瞬間的に数
字を表示させる時間または瞬間的に表示させる数字の桁数を可変にする第１の可変手段ま
たは／および数字を瞬間的に移動させる速度を可変にする第２の可変手段を有する。した
がって、数字を瞬間的に表示する時間は、動体視力検査手段に含まれる第１の可変手段に
より変えることができる。また、瞬間的に表示させる数字の桁数も、同じく第１の可変手
段により変えることができる。また、数字を瞬間的に移動させる速度は、動体視力検査手
段に含まれる第２の可変手段により変えることができる。
【発明の効果】
【００４５】
以上のように本発明によれば、システムコントローラは、視力検査と聴力検査と色弱検
査と動体視力検査とを行うための検査用データが記録された光ディスクから検査用データ
を読み出したとき、あるいは視力検査と聴力検査と色弱検査と動体視力検査とを行うため
の検査用データが記録された装置のメモリから検査用データを読み出したとき、あるいは
視力検査と聴力検査と色弱検査と動体視力検査とを行うための検査用データが記録された
ハードディスクから検査用データを読み出したとき、検査項目をディスプレイ装置に表示
させる検査項目表示手段と、前記検査項目のうち視力検査が選択された場合の手段として
は、距離指示手段と第１の記号表示手段と正誤判定手段と視力数値記憶制御手段と第２の
記号表示手段と第３の記号表示手段と視力検査結果算出手段と視力検査結果表示手段とを
有し、前記検査項目のうち聴力検査が選択された場合の手段としては、音発生手段と正誤
判定手段とカウント手段と聴力検査結果算出手段と聴力検査結果表示手段とを有し、前記
検査項目のうち色弱検査が選択された場合の手段としては、色弱検査画表示手段と正誤判
定手段とカウント手段と色弱検査結果算出手段と色弱検査結果表示手段とを有し、前記検
査項目のうち動体視力検査が選択された場合の手段としては、数字表示手段と正誤判定手
段とカウント手段と動体視力検査結果算出手段と動体視力検査結果表示手段と有し、更に
、第１の可変手段または／および第２の可変手段を有するので、視力検査、聴力検査、色
弱検査、および動体視力検査の機能を精度良く実現でき、これにより、ユーザが簡単に、
自分の視力、聴力、色弱、および動体視力の検査を行うことができる。
【００４６】
また、本発明によれば、システムコントローラは、視力検査と聴力検査と色弱検査と動
体視力検査とを行うための検査用データを所定の記録媒体から読み出したとき、検査項目
をディスプレイ装置に表示させる検査項目表示手段と、前記検査項目のうち視力検査が選
択された場合の手段としての視力検査手段と、前記検査項目のうち聴力検査が選択された
場合の手段としての聴力検査手段と、前記検査項目のうち色弱検査が選択された場合の手
段としての色弱検査手段と、前記検査項目のうち動体視力検査が選択された場合の手段と
しての動体視力検査手段と、を有するので、視力検査、聴力検査、色弱検査、および動体
視力検査の機能を実現でき、これにより、ユーザが簡単に、自分の視力、聴力、色弱、お
よび動体視力の検査を行うことができる。
【発明を実施するための最良の形態】
【００４７】
以下、添付図面を参照しつつ、本発明の実施の形態について説明する。図１は本発明の
一実施形態に係る光ディスク再生装置を用いて視力検査と聴力検査と色弱検査と動体視力
検査を行う様子を説明するための斜視図である。
【００４８】
図１において、ＡはＤＶＤプレイヤなどの光ディスク再生装置を示し、Ｂはテレビジョ
ン受像機を示す。Ｃは聴力検査に用いられるヘッドホンを示す。ｅ１は視力検査に用いら
れる視力検査記号の一つを示し、ｅ２は色弱検査に用いられる色弱検査画の一つを示す。
ｅ３は動体視力検査に用いられる数字の一つを示す。なお、色弱検査画ｅ２には、カラー
で数字が表示されている。
【００４９】
図２は本発明の一実施形態に係る光ディスク再生装置の構成を示すブロック図である。
【００５０】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００５１】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００５２】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００５３】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換してヘッドホン１９や図示しないスピーカに供給するＤ／Ａ変換器１６とを備えて
いる。
【００５４】
また、この光ディスク再生装置は、システムコントローラ２２に対して、再生指示を与
えるための再生キー、再生停止を指示するための停止キー、その他各種操作キーを有する
操作部２１と、装置全体を制御する前記システムコントローラ２２とを備えている。操作
部２１は、リモコン（リモートコントローラ）２６からの操作指令を示す光信号を受信す
る受光手段（図示せず）を備え、この受光手段により光信号を電気信号に変換してシステ
ムコントローラ２２に指令信号を入力する。
【００５５】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、操作部２１またはリモコン２６からの操作内容などを表示した
りする本体側の表示部２５とを備えている。
【００５６】
システムコントローラ２２は、本実施形態の特徴とする構成要素として、視力検査と聴
力検査と色弱検査と動体視力検査とを行うための検査用データが記録された光ディスク１
から検査用データを読み出したとき、あるいは視力検査と聴力検査と色弱検査と動体視力
検査とを行うための検査用データが記録された装置のフラッシュＲＯＭ２３から検査用デ
ータを読み出したとき、あるいは視力検査と聴力検査と色弱検査と動体視力検査とを行う
ための検査用データが記録された図示しないハードディスクレコーダのハードディスクか
ら検査用データを読み出したとき、検査項目をディスプレイ装置２０に表示させる検査項
目表示手段２２０を有する。
【００５７】
また、システムコントローラ２２は、視力検査手段２２１として、例えば、テレビジョ
ン受像機のディスプレイ装置２０の画面サイズのインチ数を入力したときディスプレイ装
置２０から幾ら離れて立つかを指示する距離指示手段と、前記検査用データに含まれる複
数個の視力検査記号から１個の視力検査記号をランダムに選択してディスプレイ装置２０
に表示させる第１の記号表示手段と、前記選択され表示された視力検査記号の方向がリモ
コン２６の方向キーにより入力されたとき該入力方向は正解か間違いかを判定する正誤判
定手段と、前記正解と判定されたとき視力の数値を記憶手段に記憶させる視力数値記憶制
御手段と、前記正解と判定されたとき現視力検査記号よりも小さな視力検査記号をディス
プレイ装置２０に表示させる第２の記号表示手段と、前記間違いと判定されたとき現視力
検査記号よりも大きな視力検査記号をディスプレイ装置２０に表示させる第３の記号表示
手段と、検査回数が所定回数に達したとき前記視力の数値に基づいて視力検査結果を算出
する視力検査結果算出手段と、前記視力検査結果をディスプレイ装置２０に表示させる視
力検査結果表示手段とを有する。
【００５８】
また、システムコントローラ２２は、聴力検査手段２２２として、前記検査用データに
含まれる複数個の聴力音声データから１個の聴力音声データをランダムに選択して右／左
で低音／高音をヘッドホン１９により発生させる音発生手段と、音が発生した側に対応し
て指示したリモコンの２６の方向キーが正解であるか間違っているかを判定する正誤判定
手段と、前記正解であるとき正解の回数をカウントすると共に前記間違っているとき間違
いの回数をカウントするカウント手段と、検査回数が所定回数になったとき前記カウント
値に基づいて聴力検査結果を算出する聴力検査結果算出手段と、前記聴力検査結果をディ
スプレイ装置２０に表示させる聴力検査結果表示手段とを有する。
【００５９】
また、システムコントローラ２２は、色弱検査手段２２３として、前記検査用データに
含まれる複数個の色弱検査データから１個の色弱検査データをランダムに選択して色弱検
査画をディスプレイ装置２０に表示させる色弱検査画表示手段と、リモコン２６のテンキ
ーで入力された数字は正解であるか間違っているかを判定する正誤判定手段と、前記正解
であるとき正解の回数をカウントすると共に前記間違っているとき間違いの回数をカウン
トするカウント手段と、検査回数が所定回数になったとき前記カウント値に基づいて色弱
検査結果を算出する色弱検査結果算出手段と、前記色弱検査結果をディスプレイ装置２０
に表示させる色弱検査結果表示手段とを有する。
【００６０】
また、システムコントローラ２２は、動体視力検査手段２２４として、前記検査用デー
タに含まれる複数個の動体視力検査データから１個の動体視力検査データをランダムに選
択して瞬間的に数字をディスプレイ装置２０に表示させ、または数字を瞬間的に移動させ
てディスプレイ装置２０に表示させる数字表示手段と、リモコン２６のテンキーで入力さ
れた数字は正解であるか間違っているかを判定する正誤判定手段と、前記正解であるとき
正解の回数をカウントすると共に前記間違っているとき間違いの回数をカウントするカウ
ント手段と、検査回数が所定回数になったとき前記カウント値に基づいて動体視力検査結
果を算出する動体視力検査結果算出手段と、前記動体視力検査結果をディスプレイ装置２
０に表示させる動体視力検査結果表示手段と有し、更に、瞬間的に数字を表示させる時間
または瞬間的に表示させる数字の桁数を可変にする第１の可変手段または／および数字を
瞬間的に移動させる速度を可変にする第２の可変手段を有する。
【００６１】
図３はリモコン２６のキーの配置を示す平面図である。図３に示すように、リモコン２
６は、ＰＯＷＥＲ（電源）キー、ＤＩＳＰＬＡＹ（表示）キー、ＳＥＡＲＣＨＭＯＤＥ（
サーチモード）キー、Ｏｐｅｎ／Ｃｌｏｓｅ（オープン／クローズ）キー、ＡＵＤＩＯ（
オーディオ）キー、ＳＵＢＴＩＴＬＥ（サブタイトルキー）、ＡＮＧＬＥ（アングル）キ
ー、ＲＥＰＥＡＴ（リピート）キー、Ａ−Ｂキー、１〜＋１０のテンキー、ＣＬＥＡＲ（
クリア）キー、ＰＡＵＳＥ（ポーズ）キー、ＰＬＡＹ（プレイ）キー、ＳＴＯＰ（ストッ
プ）キー、ＲＥＶ（早戻し）キー、ＦＷＤ（早送り）キー、ＳＥＴＵＰ（セットアップ）
キー、ＴＩＴＬＥ（タイトル）キー、ＭＥＮＵ（メニュー）キー、ＭＯＤＥ（モード）キ
ー、ＥＮＴＥＲ（エンタ−）キー、ＺＯＯＭ（ズーム）キー、ＴＥＳＴ（テスト）キー、
ＲＥＴＵＲＮ（リターン）キー、方向キー３１，３２，３３，３４などを有している。
【００６２】
図４は本実施形態において視力検査を実施する場合の処理を説明するためのフローチャ
ートである。このフローチャートを参照して視力検査を実施する場合の処理について説明
する。
【００６３】
先ず、視力検査と聴力検査と色弱検査と動体視力検査とを行うための検査用データが記
録された検査用光ディスク１を光ディスク再生装置に装填すると（ステップＳ１）、シス
テムコントローラ２２の検査項目表示手段２２０は、光ピックアップ２、デジタル信号処
理部８、ストリーム分離部９、およびビデオデコーダ１５、ビデオプロセッサ１７を制御
して、ディスプレイ装置２０に検査項目を表示する（ステップＳ２）。
【００６４】
なお、ここでは、検査用光ディスク１を用いて視力検査と聴力検査と色弱検査と動体視
力検査を行う場合について説明しているが、装置のフラッシュＲＯＭ２３に検査用データ
が記録されている場合は、フラッシュＲＯＭ２３から検査用データを読み出せば、同様に
視力検査と聴力検査と色弱検査と動体視力検査を行うことができる。また、ハードディス
クに検査用データが記録されている場合は、ハードディスクレコーダからの検査用データ
を図示しないインターフェースを介してシステムコントローラ２２に入力すれば、同様に
視力検査と聴力検査と色弱検査と動体視力検査を行うことができる。
【００６５】
したがって、ステップＳ２では、フラッシュＲＯＭ２３からの検査用データや、ハード
ディスクからの検査用データであっても、検査項目がディスプレイ装置２０に表示される
ことになる。フラッシュＲＯＭ２３からの検査用データによる検査項目の表示を行う際は
、リモコン２６のＳＥＴＵＰキーを押したとき、画面サイズなどの他に、検査項目の画面
も表示できるようにしておけば良いし、また、リモコン２６のＤＩＳＰＬＡＹキーをディ
スク再生中に押すと、現在何分目を再生中であるかの文字がディスプレイ装置２０に表示
されるようになっているが、このＤＩＳＰＬＡＹキーを光ディスクが装填されていない状
態のときに押すと、検査項目の画面をディスプレイ装置２０に表示させるようにしても良
い。
【００６６】
さて、ディスプレイ装置２０に表示された検査項目の中から視力検査を選択した場合（
ステップＳ３）、ユーザはリモコン２６を操作してディスプレイ装置２０の画面のインチ
数を入力すると（ステップＳ４）、システムコントローラ２２の視力検出手段２２１に含
まれる距離指示手段は、ユーザがディスプレイ装置２０から幾ら離れて（例えば何ｍ離れ
て）立つかを画面に表示して指示する（ステップＳ５）。
【００６７】
次に、視力検査手段２２１に含まれる第１の記号表示手段は、検査用データに含まれる
複数個の視力検査記号から１個の視力検査記号をランダムに選択してディスプレイ装置２
０に表示させる（ステップＳ６）。複数個の視力検査記号から１個の視力検査記号をラン
ダムに選択する処理は、光ディスク再生装置に予め備えられているランダム再生機能を用
いることによって可能となる。
【００６８】
そして、ユーザは、ディスプレイ装置２０から離れて指示された位置に立ってディスプ
レイ装置２０に表示された視力検査記号を右目で見て（先に右目の視力を検査する場合）
、視力検査記号の方向をリモコン２６の方向キーで指定して視力検査記号の方向を入力す
る（ステップＳ７）。これにより、視力検査手段２２１に含まれる正誤判定手段は、方向
キーで入力された方向は正解であるか間違いであるかを判定する（ステップＳ８）。
【００６９】
入力方向は正解であると判定されたとき、視力検査手段２２１に含まれる視力数値記憶
制御手段は、正解の視力の数値を例えばフラッシュＲＯＭ２３に記憶する（ステップＳ９
）。そして検査回数が所定回数でなければ（ステップＳ１０）、視力検査手段２２１の第
２の記号表示手段は、前記正解と判定されたとき現視力検査記号よりも小さな視力検査記
号を、検査用データに含まれる複数個の視力検査記号からランダムに選択してディスプレ
イ装置２０に表示させる（ステップＳ１１）。
【００７０】
ユーザは、小さな視力検査記号を右目で見て、視力検査記号の方向をリモコン２６の方
向キーで指定して視力検査記号の方向を入力する（ステップＳ７）。これにより、視力検
査手段２２１に含まれる正誤判定手段は、方向キーで入力された方向は正解であるか間違
いであるかを判定する（ステップＳ８）。
【００７１】
今度は、入力方向が間違いであると判定されると、視力検査手段２２１に含まれる第３
の記号表示手段は、現視力検査記号よりも大きな視力検査記号を、検査用データに含まれ
る複数個の視力検査記号からランダムに選択してディスプレイ装置２０に表示する（ステ
ップＳ１２）。
【００７２】
次に、ユーザは、大きな視力検査記号を右目で見て視力検査記号の方向をリモコン２６
の方向キーで指定して視力検査記号の方向を入力する（ステップＳ７）。これにより、視
力検査手段２２１に含まれる正誤判定手段は、方向キーで入力された方向は正解であるか
間違いであるかを判定する（ステップＳ８）。
【００７３】
入力方向は正解であると判定されたとき、視力検査手段２２１に含まれる視力数値記憶
制御手段は、正解の視力の数値をフラッシュＲＯＭ２３に記憶する（ステップＳ９）。そ
して、検査回数が所定回数になれば（ステップＳ１０）、視力検査手段２２１に含まれる
視力検査結果算出手段は、フラッシュＲＯＭ２３に記憶された視力の数値に基づいて視力
検査結果（例えば右目の視力０．８）を算出し（ステップＳ１３）、視力検査手段２２１
に含まれる視力検査結果表示手段は、ディスプレイ装置２０に例えば「右目の視力は０．
８です」と言うメッセージを表示する（ステップＳ１４）。
【００７４】
このようにして、右目の視力の検査が終了すると、次は左目の視力の検査が同様にして
行い、ディスプレイ装置２０には、例えば「右目の視力は１．０です」と言うメッセージ
が表示される。
【００７５】
図５は本実施形態において聴力検査を実施する場合の処理を説明するためのフローチャ
ートである。このフローチャートを参照して聴力検査を実施する場合の処理について説明
する。
【００７６】
ユーザがヘッドホン１９を耳に装着し、ディスプレイ装置２０に表示された検査項目の
中の聴力検査を選択した場合は（ステップＮ１）、システムコントローラ２２の聴力検査
手段２２２に含まれる音発生手段は、検査用データに含まれる複数個の聴力音声データか
ら１個の聴力音声データをランダムに選択して、右／左で低音／高音をヘッドホン１９に
より発生させる（ステップＮ２）。
【００７７】
例えば、ヘッドホン１９の右側ホン１９ａから低音が発生したとすると、ユーザは、リ
モコン２６の右方向を示す方向キーを押すと、聴力検査手段２２２に含まれる正誤判定手
段は、リモコン２６の方向キーが正解であると判定し（ステップＮ３）、聴力検査手段２
２２に含まれるカウント手段は、正解の回数をカウントする（ステップＮ４）。
【００７８】
そして、検査回数が所定回数でないときは（ステップＮ５）、ステップＮ２に戻り、次
もランダムに音をヘッドホン１９から発生させる。例えば、ヘッドホン１９の左側ホン１
９ｂから高音が発生したとき、ユーザは、リモコン２６の右方向を示す方向キーを押すと
、聴力検査手段２２２に含まれる正誤判定手段は、リモコン２６の方向キーが間違いであ
ると判定し（ステップＮ３）、聴力検査手段２２２に含まれるカウント手段は間違いの回
数をカウントする（ステップＮ６）。
【００７９】
また、検査回数が所定回数でないときは（ステップＮ５）、ステップＮ２に戻り、同様
な処理を行い、検査回数が所定回数になったときは、聴力検査手段２２２に含まれる聴力
検査結果算出手段は、前記カウント値に基づいて聴力検査結果を算出し（ステップＮ７）
、聴力検査手段２２２に含まれる聴力検査結果表示手段は、前記聴力検査結果をディスプ
レイ装置２０に表示させる（ステップＮ８）。
例えば、「右の耳が聞こえにくくなっていますので、一度病院へ検査に行かれた方が良い
です」と言うメッセージがディスプレイ装置２０に表示される。
【００８０】
図６は本実施形態において色弱検査を実施する場合の処理を説明するためのフローチャ
ートである。このフローチャートを参照して色弱検査を実施する場合の処理について説明
する。
【００８１】
ユーザがディスプレイ装置２０に表示された検査項目の中の色弱検査を選択した場合は
（ステップＭ１）、システムコントローラ２２の色弱検査手段２２３に含まれる色弱検査
画表示手段は、検査用データに含まれる複数個の色弱検査データから１個の色弱検査デー
タをランダムに選択して、色弱検査画をディスプレイ装置２０に表示させる（ステップＭ
２）。
【００８２】
例えば、バックの色とは異なる色の数字２が表示された色弱検査画が、ディスプレイ装
置２０に表示されると、ユーザはリモコン２６のテンキーで数字２を入力すると、色弱検
査手段２２３に含まれる正誤判定手段は、リモコン２６の入力キーが正解であると判定し
（ステップＭ４）、色弱検査手段２２３に含まれるカウント手段は、正解の回数をカウン
トする（ステップＭ５）。
【００８３】
そして、検査回数が所定回数でないときは（ステップＭ６）、ステップＭ２に戻り、次
もランダムに色弱検査画をディスプレイ装置２０に表示させる。例えば、バックの色とは
異なる色の数字５が表示された色弱検査画が、ディスプレイ装置２０に表示されると、ユ
ーザはリモコン２６のテンキーで数字６を入力すると、色弱検査手段２２３に含まれる正
誤判定手段は、リモコン２６の入力キーが間違いであると判定し（ステップＭ４）、色弱
検査手段２２３に含まれるカウント手段は、間違いの回数をカウントする（ステップＭ７
）。
【００８４】
また、検査回数が所定回数でないときは（ステップＭ６）、ステップＮ２に戻り、同様
な処理を行い、検査回数が所定回数になったときは（ステップＭ６）、色弱検査手段２２
３に含まれる色弱検査結果算出手段は、前記カウント値に基づいて色弱検査結果を算出し
（ステップＭ８）、色弱検査手段２２３に含まれる色弱検査結果表示手段は、前記色弱検
査結果をディスプレイ装置２０に表示させる（ステップＭ９）。例えば、「赤色系が見に
くいですので、一度病院へ検査に行かれた方が良いです」と言うメッセージがディスプレ
イ装置２０に表示される。
【００８５】
図７は本実施形態において動体視力検査を実施する場合の処理を説明するためのフロー
チャートである。このフローチャートを参照して動体視力検査を実施する場合の処理につ
いて説明する。
【００８６】
ユーザがディスプレイ装置２０に表示された検査項目の中の動体視力検査を選択した場
合は（ステップＫ１）、システムコントローラ２２の動体視力検査手段２２４に含まれる
数字表示手段は、検査用データに含まれる複数個の動体視力検査データから１個の動体視
力検査データをランダムに選択して、数字を瞬間的にディスプレイ装置２０に表示させる
（ステップＫ２）。
【００８７】
例えば、「０２１２」と言う数字が瞬間的にディスプレイ装置２０に表示されると、ユ
ーザはリモコン２６のテンキーで数字「０２１２」を入力すると、動体視力検査手段２２
４に含まれる正誤判定手段は、リモコン２６の入力キーが正解であると判定し（ステップ
Ｋ４）、動体視力検査手段２２４に含まれるカウント手段は、正解の回数をカウントする
（ステップＫ５）。
【００８８】
そして、検査回数が所定回数でないときは（ステップＫ６）、ステップＫ２に戻り、次
もランダムに数字を瞬間的にディスプレイ装置２０に表示させる。例えば、「１２５６」
と言う数字が瞬間的にディスプレイ装置２０に表示されると、ユーザはリモコン２６のテ
ンキーで数字「１２５５」を入力すると、動体視力検査手段２２４に含まれる正誤判定手
段は、リモコン２６の入力キーが間違いであると判定し（ステップＫ４）、動体視力検査
手段２２４に含まれるカウント手段は、間違いの回数をカウントする（ステップＫ７）。
【００８９】
また、検査回数が所定回数でないときは（ステップＫ６）、ステップＫ２に戻り、同様
な処理を行い、検査回数が所定回数になったときは（ステップＫ６）、動体視力検査手段
２２４に含まれる動体視力検査結果算出手段は、前記カウント値に基づいて動体視力検査
結果を算出し（ステップＫ８）、動体視力検査手段２２４に含まれる動体視力検査結果表
示手段は、前記動体視力検査結果をディスプレイ装置２０に表示させる（ステップＫ９）
。例えば、「少し動体視力が衰えています」と言うメッセージがディスプレイ装置２０に
表示される。
【００９０】
なお、数字を瞬間的に表示する時間は、動体視力検査手段２２４に含まれる第１の可変
手段により変えることができる。また、瞬間的に表示させる数字の桁数も、同じく第１の
可変手段により変えることができる。また、数字を瞬間的に移動させる速度は、動体視力
検査手段２２４に含まれる第２の可変手段により変えることができる。したがって、ステ
ップＫ２において、数字を瞬間的に表示する時間または／および瞬間的に表示させる数字
の桁数または／および数字を瞬間的に移動させる速度も可変にすることにより、動体視力
検査を広い範囲で測定することができるようになる。
【００９１】
本実施形態では、ＤＶＤプレイヤなどの光ディスク再生装置により、視力検査、聴力検
査、色弱検査、および動体視力検査の機能を実現したが、ＤＶＤレコーダなどの光ディス
ク記録再生装置であっても、視力検査、聴力検査、色弱検査、および動体視力検査の機能
を実現することができる。なお、光ディスク再生装置の構成要素は、記録関係以外は光デ
ィスク記録再生装置にも含まれるので、請求項の技術的範囲は、ＤＶＤレコーダなどの光
ディスク記録再生装置を用いて、視力検査、聴力検査、色弱検査、および動体視力検査を
行う場合についても及ぶことになる。
【００９２】
以上説明したように本実施形態によれば、視力検査、聴力検査、色弱検査、および動体
視力検査の機能を実現でき、これにより、ユーザが簡単に、自分の視力、聴力、色弱、お
よび動体視力の検査を行うことができる。
【図面の簡単な説明】
【００９３】
【図１】本発明の一実施形態に係る光ディスク再生装置を用いて視力検査と聴力検査と色弱検査と動体視力検査を行う様子を説明するための斜視図である。
【図２】本発明の一実施形態に係る光ディスク再生装置の構成を示すブロック図である。
【図３】前記実施形態においてリモコンのキーの配置を示す平面図である。
【図４】前記実施形態において視力検査を実施する場合の処理を説明するためのフローチャートである。
【図５】前記実施形態において聴力検査を実施する場合の処理を説明するためのフローチャートである。
【図６】前記実施形態において色弱検査を実施する場合の処理を説明するためのフローチャートである。
【図７】前記実施形態において動体視力検査を実施する場合の処理を説明するためのフローチャートである。
【符号の説明】
【００９４】
１    光ディスク
１９    ヘッドホン
２０    ディスプレイ装置
２２    システムコントローラ
２３    フラッシュＲＯＭ（記憶手段）
２６    リモコン
２２０    検査項目表示手段
２２１    視力検査手段
２２２    聴力検査手段
２２３    色弱検査手段
２２４    動体視力検査手段
【図１】
2006174967.tif 000003
【図２】
2006174967.tif 000004
【図３】
2006174967.tif 000005
【図４】
2006174967.tif 000006
【図５】
2006174967.tif 000007
【図６】
2006174967.tif 000008
【図７】
2006174967.tif 000009